(57)【要約】【課題】  タッチパネルとバリアングル機構を有する表示装置とを備えた撮像装置において、表示装置の表示面とは反対側の面に配置した裏面タッチパネルの機能の有効・無効、操作情報の表示対象を制御することを可能にした撮像装置を提供すること。【解決手段】  第一の表示手段と、第二の表示手段と、近接検知手段と、前記第一の表示手段の表示面と反対側の面に配置したタッチパネルと、前記第一の表示手段の角度状態を検知する状態検知手段と、前記状態検知手段および前記近接検知手段により前記タッチパネル機能の有効・無効、操作情報の表示対象を制御する手段とを有することを特徴とする構成とした。【選択図】  図４
2012248913.tif 000002
【特許請求の範囲】
【請求項１】
第一の表示手段（１０１）と、第二の表示手段（１１２）と、近接検知手段（１１０）と、前記第一の表示手段（１０１）の表示面と反対側の面に配置したタッチパネル（２１０）と、前記第一の表示手段（１０１）の角度状態を検知する状態検知手段（２１２）と、前記状態検知手段（２１２）および前記近接検知手段（１１０）により前記タッチパネル（２１０）機能の有効・無効、操作情報の表示対象を制御する手段（２１３）とを有することを特徴とする撮像装置。
【請求項２】
請求項１に記載の撮像装置において
接眼ファインダー（１０９）を有し、前記接眼ファインダー（１０９）内に前記第二の表示手段（１１２）が設置されることを特徴とする撮像装置。
【請求項３】
請求項１に記載の撮像装置において
前記第二の表示手段（１１２）に対し、横方向操作で項目選択、縦方向操作で値の選択を行うことを特徴とする撮像装置。
【請求項４】
請求項２に記載の撮像装置において
前記状態検知手段（２１２）によって前記第一の表示手段（１０１）の表示面を視認できないよう閉じた状態（３０４）であることを検知し、かつ、前記近接検知手段（１１０）によって物体の接近を検知する場合には利目設定手段（２０７）の設定に応じてタッチ有効領域を制御することを特徴とする撮像装置。
【発明の詳細な説明】
【技術分野】
【０００１】
本発明は撮像装置に関し、特にタッチパネルとバリアングル機構を有する表示装置とを備えた撮像装置に関するものである。
【背景技術】
【０００２】
近年、接眼ファインダーと被写体構図の決定および撮像により取得された画像の確認用として背面に表示装置を備えた撮像装置が増えている。また、撮像装置を構えた体勢に合わせて自由に表示装置の角度を変えられるバリアングル機構を有し、かつ、ユーザーがより簡単に操作を行うことができるようタッチパネル入力が可能な表示装置を備えたものもある。しかしながら、タッチパネル入力により指紋が付着し表示装置の視認性の低下を招く、実際にタッチしているポイントがユーザーから視認できないという問題があった。
【０００３】
上述の課題に対して、例えば特許文献１では、表示装置の表示面とは反対側の面に操作部を配置し、それを操作させることで表示画面の汚れを防止する撮像装置が開示されている。
【先行技術文献】
【特許文献】
【０００４】
【特許文献１】特開２００７−１８９２９９号公報
【発明の概要】
【発明が解決しようとする課題】
【０００５】
しかしながら、上述の特許文献に開示された従来技術では、表示装置の開閉・回転状態に応じて表示装置の表示面とは反対側の面に配置した操作部機能の有効・無効を制御できない。また、例えば接眼ファインダー内に第二の表示装置を有する場合、操作部の操作情報の表示対象を切り替えることができないため、ファインダーを覗いた際に操作部による操作を行うことができない。
【０００６】
そこで、本発明の目的は、表示装置の表示面とは反対側の面に配置した裏面タッチパネルの機能の有効・無効、操作情報の表示対象を制御することを可能にした撮像装置を提供することである。
【課題を解決するための手段】
【０００７】
上記目的を達成するために、本発明は、第一の表示手段と、第二の表示手段と、近接検知手段と、前記第一の表示手段の表示面と反対側の面に配置したタッチパネルと、前記第一の表示手段の角度状態を検知する状態検知手段と、前記状態検知手段および前記近接検知手段により前記タッチパネル機能の有効・無効、操作情報の表示対象を制御する手段とを有することを特徴とする。
【発明の効果】
【０００８】
本発明によればタッチパネル入力による表示画面の汚れの低減化、タッチパネル操作における視認性向上化を図りつつ、表示装置の表示面とは反対側の面に配置した裏面タッチパネルによる操作をファインダー接眼時も有効とすることが可能になる。また、表示装置の開閉・回転状態に応じて裏面タッチパネル機能の有効・無効を制御することが可能になる。
【図面の簡単な説明】
【０００９】
【図１】本発明の実施例における撮像装置の外観図である。
【図２】本発明の実施例における撮像装置の構成を示すブロック図である。
【図３】本発明の実施例１におけるバリアングルの状態と状態検知信号の対応を示した説明図である。
【図４】本発明の実施例１における裏面タッチパネル機能の割り当てを制御するフローである。
【図５】本発明の実施例１におけるファインダー内表示に対する裏面タッチパネルの操作系を示した説明図である。
【図６】本発明の実施例２における裏面タッチパネル機能の割り当てを制御するフローである。
【発明を実施するための形態】
【００１０】
以下、図面を参照して本発明の好適な実施形態を添付の図面に基づいて詳細に説明する。
【００１１】
図１に本発明の撮像装置の一例としてのデジタルカメラの外観図を示す。
【００１２】
表示部１０１は画像や各種情報を表示する液晶パネル等の表示部である。前記表示部１０１はバリアングル機構を有しており、開閉用回転軸Ａ及び回転用回転軸Ｂを備えたヒンジ部１０２を介して装着している。１０２ａ、１０２ｂは、それぞれ前記ヒンジ部のＳＷＡ、ＳＷＢである。前記ＳＷＡ１０２ａは前記表示部１０１が横方向に一定角度以上開閉したことを検知し、前記ＳＷＢ１０２ｂは前記表示部１０１が縦方向に一定角度以上回転したことを検知する。
【００１３】
マグネット１０３とホールＩＣ１０４は、前記表示部１０１が一定角度以上開閉したことを検知する。前記マグネット１０３は前記表示部１０１内部に配置し、前記ホールＩＣ１０４は筐体１０５内部に配置し、閉じた状態で前記マグネット１０３の近傍に前記ホールＩＣ１０４が配置されるように構成する。
【００１４】
レリーズスイッチ１０６は撮影指示を行うための操作部である。
【００１５】
モードダイアル１０７は各種モードを切り替えるための操作部である。
【００１６】
操作部１０８はユーザーからの各種操作を受け付ける各種スイッチ、ボタン、前記表示部１０１の表示面とは反対側の面に配置した裏面タッチパネル等の操作部材より成る操作部である。
【００１７】
接眼ファインダー１０９は被写体構図を決定するためのファインダーである。
【００１８】
１１０は前記接眼ファインダー１０９に対し、物体が近接しているか否かを検出する近接検知センサである。１１０ａ、１１０ｂは、それぞれ前記近接検知センサ１１０の赤外発光レンズ窓、受光レンズ窓である。前記赤外発光窓１１０ａが一定間隔で赤外光を発光し、前記赤外受光窓１１０ｂが後述の被検出物体１１１で反射した光を受光し、その光量により規定位置に後述の被検出物体１１１があるかどうかを検出する。
【００１９】
１１１は、前記近接センサ１１０の被検出物体であり、接眼時の顔、タッチ操作時の指などである。
【００２０】
ファインダー内表示部１１２は前記接眼ファインダー１０９を除いた時に視認可能な表示である。前期表示部１０１の表示内容と異なり、接眼状態で操作可能な設定としては、ISO感度１１３、絞り数値１１４、シャッター速度１１５がある。
【００２１】
図２は、本実施形態によるデジタルカメラ１００の構成例を示すブロック図である。
【００２２】
撮像素子２０１は光学像を電気信号に変換するＣＣＤやＣＭＯＳ素子等である。前記レリーズスイッチ１０６を押すことで図示しないレンズなどを介して被写体の光学像を結像し、電気信号に変換する。
【００２３】
Ａ／Ｄ変換部２０２は、前記撮像素子２０１から出力されるアナログ信号をデジタル信号に変換する。
【００２４】
画像処理部２０３は、前記Ａ／Ｄ変換部２０２からのデータ、又は、後述のメモリ制御部２０４からのデータに対し所定の画素補間、縮小といったリサイズ処理や色変換処理を行う。また、前記画像処理部２０３では、撮像した画像データを用いて所定の演算処理が行われ、得られた演算結果に基づいて後述のシステム制御部２０８が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。更に前記画像処理部２０３では、撮像した画像データを用いて所定の演算処理を行い、得られた演算結果に基づいてＴＴＬ方式のＡＷＢ（オートホワイトバランス）処理も行っている。
【００２５】
メモリ制御部２０４は、前記Ａ／Ｄ変換部２０２、前記画像処理部２０３、前記表示部１０１、後述のメモリ２０５と外部着脱メモリ２０６間のデータの送受を制御する。
【００２６】
メモリ２０５は、前記撮像素子２０１によって得られ前記Ａ／Ｄ変換部２０２によりデジタルデータに変換された画像データや、前記表示部１０１に表示するための画像データを格納する。前記メモリ２０５は、所定枚数の静止画像や所定時間の動画像および音声を格納するのに十分な記憶容量を備えている。
【００２７】
外部着脱メモリ２０６は、撮影された画像を記録するためのメモリカード等の記録媒体であり半導体メモリや磁気ディスク等から構成される。
【００２８】
不揮発性メモリ２０７は、電気的に消去・記録可能なメモリであり、例えばＥＥＰＲＯＭ等が用いられる。前記不揮発性メモリ２０７には、後述のシステム制御部２０８の動作用の定数、プログラム等が記憶される。ここでいう、プログラムとは、本実施形態にて後述する各種フローチャートを実行するためのプログラムのことである。
【００２９】
システム制御部２０８は、前記デジタルカメラ１００全体を制御する。前記不揮発性メモリ２０７に記録されたプログラムを実行することで、後述の本実施形態の各処理を実現する。また、前記システム制御部２０８は前記メモリ２０５、前記表示部１０１等を制御することにより表示制御も行う。
【００３０】
システムメモリ２０９には、ＲＡＭが用いられ、前記システム制御部２０８の動作用の定数、変数、前記不揮発性メモリ２０７から読み出したプログラム等を展開する。
【００３１】
前記モードダイアル１０７、後述の第１レリーズスイッチ１０６ａ、第２レリーズスイッチ１０６ｂ、前記操作部１０８は前記システム制御部２０８に各種の動作指示を入力するための操作手段である。
【００３２】
前記モードダイアル１０７は、前記システム制御部２０８の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。前記モードダイアル１０７で、静止画撮影モードに含まれるこれらのモードのいずれかに直接切り替えられる。あるいは、前記モードダイアル１０７で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１レリーズスイッチ１０６ａは、前記デジタルカメラ１００に設けられた前記レリーズスイッチ１０６の操作途中、いわゆる半押し（撮影準備指示）でＯＮとなり第１レリーズスイッチ信号ＳＷ１を発生する。前記第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３３】
第２レリーズスイッチ１０６ｂは、前記レリーズスイッチ１０６の操作完了、いわゆる全押し（撮影指示）でＯＮとなり、第２レリーズスイッチ信号ＳＷ２を発生する。前記システム制御部２０８は、前記第２レリーズスイッチ信号ＳＷ２により、前記撮像素子２０１からの信号読み出しから前記外部着脱メモリ２０６に画像データを書き込むまでの一連の撮影処理の動作を開始する。
【００３４】
前記操作部１０８の各操作部材は、前記表示部１０１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が前記表示部１０１に表示される。利用者は、前記表示部１０１に表示されたメニュー画面と、上下左右の４方向ボタンやＳＥＴボタンとを用いて直感的に各種設定を行うことができる。
【００３５】
なお、前記操作部１０８の一つとして、前記表示部１０１に対する背面からの接触を検知可能な裏面タッチパネル２１０を有する。前記裏面タッチパネル２１０における入力座標と、前記表示部１０１上の表示座標とを対応付けることにより、恰もユーザーが前記表示部１０１上に表示された画面を直接的に操作可能であるかのようなＧＵＩを構成することができる。前記システム制御部２０８は前記裏面タッチパネル２１０への以下の操作を検知できる。前記裏面タッチパネル２１０を指やペンで触れたこと（以下、タッチダウンと称する）。前記襟面タッチパネル２１０を指やペンで触れている状態であること（以下、タッチオンと称する）。前記裏面タッチパネル２１０を指やペンで触れたまま移動していること（以下、ムーブと称する）。前記裏面タッチパネル２１０へ触れていた指やペンを離したこと（以下、タッチアップと称する）。前記裏面タッチパネル２１０に何も触れていない状態（以下、タッチオフと称する）。前記裏面タッチパネル２１０への物体の近接状態。
【００３６】
これらの操作や、前記裏面タッチパネル２１０上に指やペンが触れている位置座標は前記システム制御部２０８に通知され、前記システム制御部２０８は通知された情報に基づいて前記裏面タッチパネル２１０上にどのような操作が行なわれたかを判定する。ムーブについては前記裏面タッチパネル２１０上で移動する指やペンの移動方向についても、位置座標の変化に基づいて、前記裏面タッチパネル２１０上の垂直成分・水平成分毎に判定できる。また前記裏面タッチパネル２１０上をタッチダウンから一定のムーブを経てタッチアップをしたとき、ストロークを描いたこととする。素早くストロークを描く操作をフリックと呼ぶ。フリックは、前記裏面タッチパネル２１０上に指を触れたままある程度の距離だけ素早く動かして、そのまま離すといった操作であり、言い換えれば前記裏面タッチパネル２１０上を指ではじくように素早くなぞる操作である。所定距離以上を、所定速度以上でムーブしたことが検出され、そのままタッチアップが検知されるとフリックが行なわれたと判定できる。また、所定距離以上を、所定速度未満でムーブしたことが検知された場合はドラッグが行なわれたと判定するものとする。前記裏面タッチパネル２１０は、静電容量方式、表面弾性波方式、赤外線方式等いずれの方式のものを用いても良い。
【００３７】
その他の操作部材２１１は前記裏面タッチパネル２１０以外のメカ釦等の操作部材である。
【００３８】
バリアングル状態検知部２１２は前記ＳＷＡ１０２ａ、前記ＳＷＢ１０２ｂ、前記マグネット１０３、前記ホールＩＣ１０４から構成され、前記前記表示部１０１の開閉・回転状態を検知する。
【００３９】
タッチパネル機能・操作情報表示対象制御部２１３は前記近接センサ１１０、前記バリアングル状態検知部２１２から構成され、前記裏面タッチパネル２１０機能の有効・無効、操作情報の表示対象を制御する。
【００４０】
以下、図３〜図６を参照して、本発明の各実施例の動作について説明する。
【００４１】
［実施例１］
実施例１では、バリアングルの状態検知信号、接眼検知による裏面タッチ機能の割り当て制御処理の例を述べる。
【００４２】
図３は実施例１におけるバリアングルの状態と状態検知信号の対応を示した説明図である。
【００４３】
状態３０１は前記表示部１０１の表示面を視認できるよう閉じた状態であり、ホールＩＣ信号３０５がHigh、ＳＷＡ信号がHigh、SWB信号がLowに対応する。
【００４４】
状態３０２は前記表示部１０１の表示面を前記接眼ファインダー１０９設置側から視認できないよう開いた状態であり、前記ホールＩＣ信号３０５がHigh、前記ＳＷＡ信号がLow、前記SWB信号がLowに対応する。
【００４５】
状態３０３は前記表示部１０１の表示面を前記接眼ファインダー１０９設置側から視認できるよう開いた状態であり、前記ホールＩＣ信号３０５がHigh、前記ＳＷＡ信号がLow、前記SWB信号がHighに対応する。
【００４６】
状態３０４は前記表示部１０１の表示面を視認できないよう閉じた状態であり、前記ＩＣ信号３０５がLow、前記ＳＷＡ信号がHigh、前記SWB信号がHighに対応する。
【００４７】
図４は実施例１におけるバリアングルの状態検知信号、接眼検知による裏面タッチ機能の割り当て制御処理のフローチャートである。このフローチャートおける各処理は、前記システム制御部２０８が前記不揮発性メモリ２０７に格納されたプログラムを前記システムメモリ２０９に展開して実行することにより実現される。
【００４８】
ステップＳ４０１では、前記状態３０１であるか否かを判定する。前記状態３０１でない場合はステップＳ４０２へ進み、前記状態３０１である場合は前記表示部１０１の裏面にタッチすることができないとみなし、ステップS４１０へ進む。
【００４９】
ステップS４０２では、前記状態３０４であるか否かを判定する。前記状態３０４でない場合はステップＳ４０３へ進み、前記状態３０４である場合はステップS４０７へ進む。
【００５０】
ステップS４０３では、前記裏面タッチパネル２１０の機能を有効にする。
【００５１】
ステップS４０４では、前記被検出物体１１１が近接したか否かを判定する。前記近接検知センサ受光レンズ窓１１０ｂにて閾値以上の光量を検知した場合は前記被検出物体１１１が近接したとみなしステップＳ４０５へ進み、検知しなかった場合は前記被検出物体１１１は近接していないとみなしステップＳ４０６へ進む。
【００５２】
ステップS４０５では、前記裏面タッチパネル２１０の機能をファインダー内表示設定制御に割り当てる。
【００５３】
ステップS４０６では、前記裏面タッチパネル２１０の機能を前記表示部１０１内表示設定制御に割り当てる。
【００５４】
ステップS４０７は、前記被検出物体１１１が近接したか否かを判定する。前記近接検知センサ受光レンズ窓１１０ｂにて閾値以上の光量を検知した場合は前記被検出物体１１１が近接したとみなしステップＳ４０８へ進み、検知しなかった場合は前記被検出物体１１１は近接していないとみなしステップＳ４１０へ進む。
【００５５】
ステップS４０８、S４０９はそれぞれステップS４０３、S４０５と同様の処理なので説明を省略する。
【００５６】
ステップS４１０では、前記裏面タッチパネル２１０の機能を無効にする。
【００５７】
図５は実施例１におけるファインダー内表示に対する裏面タッチパネルの操作系を示した説明図である。
【００５８】
横方向フリック・ドラッグ操作５０１により、操作項目を前記ISO感度１１３、前記絞り数値１１４、前記シャッター速度１１５の中から選択する。
【００５９】
縦方向フリック・ドラッグ操作５０２により、値を選択する。
【００６０】
以上のように、実施例１によればタッチパネル入力による表示画面の汚れの低減化、タッチ操作における視認性向上化を図りつつ、表示装置の表示面とは反対側の面に配置した裏面タッチパネルによる操作を接眼時も有効とすることが可能になる。また、表示装置の開閉・回転状態に応じて裏面タッチパネル機能の有効・無効を制御することが可能になる。
【００６１】
［実施例２］
実施例２では、利目の設定により裏面タッチパネルの有効操作領域を変化させることで接眼時鼻の接触等による誤動作を防止する例を述べる。
【００６２】
図６は実施例２におけるバリアングルの状態検知信号、接眼検知による裏面タッチ機能の割り当て制御処理のフローチャートである。このフローチャートおける各処理は、前記システム制御部２０８が前記不揮発性メモリ２０７に格納されたプログラムを前記システムメモリ２０９に展開して実行することにより実現される。
【００６３】
なお、図６のステップＳ６０１〜Ｓ６０９、Ｓ６１３は、実施例１で説明した図４のステップＳ１０１〜Ｓ１１０と同様の処理なので説明を省略する。
【００６４】
ステップＳ６１０では、ユーザーが設定した利目情報から裏面タッチパネルの有効操作領域を判定する。右目が利目である場合はステップＳ６１１へ進み、左目が利目である場合はステップＳ６１２へ進む。
【００６５】
ステップＳ６１１では、裏面タッチパネルの右半面を有効操作領域に設定する。
【００６６】
ステップＳ６１２では、裏面タッチパネルの左半面を有効操作領域に設定する。
【００６７】
以上のように、実施例２によれば接眼時鼻の接触等による誤動作を防止することが可能になる。
【００６８】
以上、本発明の好ましい実施形態について説明したが、本発明はこれらの実施形態に限定されず、その要旨の範囲内で種々の変形及び変更が可能である。
【符号の説明】
【００６９】
１００  デジタルカメラ
１０１  表示部
１０２  ヒンジ部
１０３  マグネット
１０４  ホールＩＣ
１０９  接眼ファインダー
１１０  近接検知センサ
１１１  被検出物体
１１２  ファインダー内表示部
１１３  ＩＳＯ感度
１１４  絞り数値
１１５  シャッター速度
２１０  裏面タッチパネル
２１２  バリアングル状態検知部
２１３  タッチパネル機能・操作情報表示対象制御部
３０１  表示部１０１の表示面を視認できるよう閉じた状態
３０２  表示部１０１の表示面を前記接眼ファインダー１０９設置側から視認できないよう開いた状態
３０３  表示部１０１の表示面を前記接眼ファインダー１０９設置側から視認できるよう開いた状態
３０４  表示部１０１の表示面を視認できないよう閉じた状態
３０５  ホールＩＣ信号
３０６  ＳＷＡ信号
３０７  ＳＷＢ信号
５０１  横方向フリック・ドラッグ操作
５０２  縦方向フリック・ドラッグ操作
【図１】
2012248913.tif 000003
【図２】
2012248913.tif 000004
【図３】
2012248913.tif 000005
【図４】
2012248913.tif 000006
【図５】
2012248913.tif 000007
【図６】
2012248913.tif 000008